(57)【要約】【課題】  偏光ビームスプリッターに起因するコントラストの低下と反射型液晶表示素子に起因するコントラストの低下を同時に効率よく補償する。【解決手段】  反射型液晶表示素子と、光源からの光をインテグレーターを介して前記反射型液晶表示素子に導いて前記反射型液晶表示素子を照明する照明光学系と、前記反射型液晶表示素子からの光を投射する投射系を有する液晶表示装置であって、前記光源から前記反射型液晶表示素子との間の光路上に配置され、前記光源からの光のうち所定の偏光方向の光を前記反射型液晶表示素子に導く偏光ビームスプリッタと、前記偏光ビームスプリッタと前記反射型液晶表示素子との間の光路上に配置された１／４位相差板と、前記１／４位相差板と前記反射型液晶表示素子との間の光路上に配置された複屈折性位相差補償素子と、を備えており、前記複屈折性位相差補償素子の異方性の光軸が前記照明光学系の光軸と平行である。【選択図】  図１
2007233407.tif 000002
【特許請求の範囲】
【請求項１】
反射型液晶表示素子と、光源からの光をインテグレーターを介して前記反射型液晶表示素子に導いて前記反射型液晶表示素子を照明する照明光学系と、前記反射型液晶表示素子からの光を投射する投射系を有する液晶表示装置であって、
前記光源から前記反射型液晶表示素子との間の光路上に配置され、前記光源からの光のうち所定の偏光方向の光を前記反射型液晶表示素子に導く偏光ビームスプリッタと、
前記偏光ビームスプリッタと前記反射型液晶表示素子との間の光路上に配置された１／４位相差板と、
前記１／４位相差板と前記反射型液晶表示素子との間の光路上に配置された複屈折性位相差補償素子と、を備えており、
前記複屈折性位相差補償素子の異方性の光軸が前記照明光学系の光軸と平行であることを特徴とする液晶表示装置。
【請求項２】
前記１／４位相差板を保持する第１の保持枠を備えており、
該第１の保持枠の表面が黒色となるように塗装されていることを特徴とする請求項１に記載の液晶表示装置。
【請求項３】
前記複屈折性位相差補償素子を保持する第２の保持枠を備えており、
該第２の保持枠の表面が黒色となるように塗装されていることを特徴とする請求項１又は２に記載の液晶表示装置。
【請求項４】
前記照明光学系は、フライアイレンズを有していることを特徴とする請求項１乃至３いずれかに記載の液晶表示装置。
【請求項５】
第１、２、３の反射型液晶表示素子と、光源からの光をインテグレーターを介して前記第１、２、３反射型液晶表示素子に導いて前記第１、２、３の反射型液晶表示素子を照明する照明光学系と、前記第１、２、３の反射型液晶表示素子からの光を投射する投射系を有する液晶表示装置であって、
前記インテグレーターからの光を第１の色光と、第２及び第３の色光とに分離するダイクロイックミラーと、
前記第１の色光を前記第１の反射型液晶表示素子に導くと共に前記第１の反射型液晶表示素子から出射した光のうち所定の偏光方向の光を前記投射系に導く第１の偏光ビームスプリッタと、
前記第２及び第３の色光を分離してそれぞれ前記第２及び第３の反射型液晶表示素子に導くと共に前記第２及び第３の反射型液晶表示素子から出射した前記第２及び第３の色光を合成して前記投射系に導く第２の偏光ビームスプリッタと、
前記第１の偏光ビームスプリッタと前記第１の反射型液晶表示素子との間の光路上に配置された第１の１／４位相差板と、
前記第２の偏光ビームスプリッタと前記第２の反射型液晶表示素子との間の光路上に配置された第２の１／４位相差板と、
前記第２の偏光ビームスプリッタと前記第３の反射型液晶表示素子との間の光路上に配置された第３の１／４位相差板と、
前記第１の１／４位相差板と前記第１の反射型液晶表示素子との間の光路上に配置され、異方性の光軸が前記照明光学系の光軸と平行になるように配置されている第１の複屈折性位相差補償素子と、
前記第２の１／４位相差板と前記第２の反射型液晶表示素子との間の光路上に配置され、異方性の光軸が前記照明光学系の光軸と平行になるように配置されている第２の複屈折性位相差補償素子と、
前記第３の１／４位相差板と前記第３の反射型液晶表示素子との間の光路上に配置され、異方性の光軸が前記照明光学系の光軸と平行になるように配置されている第３の複屈折性位相差補償素子と、
を備えていることを特徴とする液晶表示装置。
【請求項６】
前記１／４位相差板を保持する第１の保持枠を備えており、
該第１の保持枠の表面が黒色となるように塗装されていることを特徴とする請求項５に記載の液晶表示装置。
【請求項７】
前記第１の複屈折性位相差補償素子を保持する第２の保持枠を備えており、
該第２の保持枠の表面が黒色となるように塗装されていることを特徴とする請求項５又は６に記載の液晶表示装置。
【請求項８】
前記照明光学系は、フライアイレンズを有していることを特徴とする請求項５乃至７いずれかに記載の液晶表示装置。
【請求項９】
反射型液晶表示素子と、光源からの光をインテグレーターを介して前記反射型液晶表示素子に導いて前記反射型液晶表示素子を照明する照明光学系と、前記反射型液晶表示素子からの光を投射する投射系を有する液晶表示装置であって、
前記光源から前記反射型液晶表示素子との間の光路上に配置され、所定の偏光方向の光を前記反射型液晶表示素子に導く偏光ビームスプリッタと、
前記偏光ビームスプリッタと前記反射型液晶表示素子との間の光路上に配置された複屈折性位相差補償素子と、を備えており、
前記複屈折性位相差補償素子の異方性の光軸が前記照明光学系の光軸と平行であることを特徴とする液晶表示装置。
【請求項１０】
第１、２、３の反射型液晶表示素子と、光源からの光をインテグレーターを介して前記第１、２、３反射型液晶表示素子に導いて前記第１、２、３の反射型液晶表示素子を照明する照明光学系と、前記第１、２、３の反射型液晶表示素子からの光を投射する投射系を有する液晶表示装置であって、
前記インテグレーターからの光を第１の色光と、第２及び第３の色光とに分離するダイクロイックミラーと、
前記第１の色光を前記第１の反射型液晶表示素子に導くと共に前記第１の反射型液晶表示素子から出射した光のうち所定の偏光方向の光を前記投射系に導く第１の偏光ビームスプリッタと、
前記第２及び第３の色光を分離してそれぞれ前記第２及び第３の反射型液晶表示素子に導くと共に前記第２及び第３の反射型液晶表示素子から出射した前記第２及び第３の色光を合成して前記投射系に導く第２の偏光ビームスプリッタと、
前記第１の偏光ビームスプリッタと前記第１の反射型液晶表示素子との間の光路上に配置され、異方性の光軸が前記照明光学系の光軸と平行になるように配置されている第１の複屈折性位相差補償素子と、
前記第２の偏光ビームスプリッタと前記第２の反射型液晶表示素子との間の光路上に配置され、異方性の光軸が前記照明光学系の光軸と平行になるように配置されている第２の複屈折性位相差補償素子と、
前記第２の偏光ビームスプリッタと前記第３の反射型液晶表示素子との間の光路上に配置され、異方性の光軸が前記照明光学系の光軸と平行になるように配置されている第３の複屈折性位相差補償素子と、
を備えていることを特徴とする液晶表示装置。
【発明の詳細な説明】
【技術分野】
【０００１】
本発明は液晶表示装置に関する発明である。
【背景技術】
【０００２】
従来、液晶表示素子において視野角特性を改善する方法としては、特開平８−５０２０６、特開平１１−１３３４１３などに異方性のフィルムを付加して透過型液晶表示素子のコントラストを改善する方法が開示されている。特開平８−５０２０６はツイストネマティック液晶における液晶分子の捩れ部分における非対称なコントラスト低下を改善する方法であり，透過型液晶表示素子を用いた画像投射装置にも広く使われている。特開平１１−１３３４１３は図２４に示すような３つの軸方向（ｎｘ，ｎｙ，ｘｚ）に屈折が異なる異方性フィルムを図２５のように設定することで、垂直配向された液晶表示素子におけるコントラスト低下を改善する方法で、直視型の液晶画像表示装置に適用した例である。図中、１０５は液晶表示素子で、１０１，１０２は偏光板で１０６，１０７はそれぞれの偏光板の偏光が透過する軸方向で、クロスするように設定されており，１０３，１０４は位相差補償素子で、液晶パネル１０５と偏光板１０１，１０２の間に設けられ，１０８，１０９はそれぞれの位相差補償素子の最大屈折率（ｎｘ）の方向である。
【発明の開示】
【発明が解決しようとする課題】
【０００３】
しかしながら、画像投射装置の液晶表示素子として、反射型液晶表示素子を用いると、光が入射する側と射出する側が同じであるので、反射型液晶表示素子における液晶層を光は往復で通過するのでツイストネマティックのような捩れた構成であっても非対称なコントラストの低下は顕著に表れず、対称的な屈折率異方性に起因するコントラストの低下が発生するので、高コントラストな画像を作り出すためには液晶における対称的な屈折率異方性を補正する必要がある。
【０００４】
ここで反射型液晶表示素子を用いた画像投射装置は、偏光ビームスプリッターにより所定の偏光方向の照明光のみを反射型液晶表示素子に導き，反射型液晶表示素子で反射された光を前記偏光ビームスプリッターで検光する構成である。反射型液晶表示素子に入射する光の偏光方向の基準は照明光学系の基準軸Ｏと偏光ビームスプリッターＰＢＳの反射面で決まる。具体的には図５に示すように反射面ＲＳにおいて反射する前の基準軸Ｏｉと反射した後の基準軸Ｏｏでできる平面ＳＳおよび基準軸Ｏｏを含みこの平面ＳＳに垂直な平面がそれぞれ偏光の基準面となる。
【０００５】
このとき斜め方向から入射した光線の偏光方向は、入射する光線方向と偏光ビームスプリッターの偏光分離面の幾何学的な関係により、前記偏光の基準面から傾いてしまう。
【０００６】
このため反射型液晶表示素子を用いた画像投射装置では、偏光ビームスプリッターに起因するコントラストの低下と反射型液晶表示素子に起因するコントラストの低下を同時に効率よく補償しなければならない。
【課題を解決するための手段】
【０００７】
本発明の液晶表示装置は、反射型液晶表示素子と、光源からの光をインテグレーターを介して前記反射型液晶表示素子に導いて前記反射型液晶表示素子を照明する照明光学系と、前記反射型液晶表示素子からの光を投射する投射系を有する液晶表示装置であって、前記光源から前記反射型液晶表示素子との間の光路上に配置され、所定の偏光方向の光を前記反射型液晶表示素子に導く偏光ビームスプリッタと、前記偏光ビームスプリッタと前記反射型液晶表示素子との間の光路上に配置された複屈折性位相差補償素子とを備えており、前記複屈折性位相差補償素子の異方性の光軸が前記照明光学系の光軸と平行であることを特徴としている。ここで、前記複屈折性位相差補償素子と前記偏光ビームスプリッタとの間の光路上には１／４位相差板を備えていても良い。
【０００８】
また、本発明の別側面の液晶表示装置は、第１、２、３の反射型液晶表示素子と、光源からの光をインテグレーターを介して前記第１、２、３反射型液晶表示素子に導いて前記第１、２、３の反射型液晶表示素子を照明する照明光学系と、前記第１、２、３の反射型液晶表示素子からの光を投射する投射系を有する液晶表示装置であって、前記インテグレーターからの光を第１の色光と、第２及び第３の色光とに分離するダイクロイックミラーと、前記第１の色光を前記第１の反射型液晶表示素子に導くと共に前記第１の反射型液晶表示素子から出射した光のうち所定の偏光方向の光を前記投射系に導く第１の偏光ビームスプリッタと、前記第２及び第３の色光を分離してそれぞれ前記第２及び第３の反射型液晶表示素子に導くと共に前記第２及び第３の反射型液晶表示素子から出射した前記第２及び第３の色光を合成して前記投射系に導く第２の偏光ビームスプリッタと、前記第１の偏光ビームスプリッタと前記第１の反射型液晶表示素子との間の光路上に配置され、異方性の光軸が前記照明光学系の光軸と平行になるように配置されている第１の複屈折性位相差補償素子と、前記第２の偏光ビームスプリッタと前記第２の反射型液晶表示素子との間の光路上に配置され、異方性の光軸が前記照明光学系の光軸と平行になるように配置されている第２の複屈折性位相差補償素子と、前記第２の偏光ビームスプリッタと前記第３の反射型液晶表示素子との間の光路上に配置され、異方性の光軸が前記照明光学系の光軸と平行になるように配置されている第３の複屈折性位相差補償素子とを備えていることを特徴としている。ここで、前記第１の偏光ビームスプリッタと前記第１の複屈折性位相差補償素子との間の光路上に配置された第１の１／４位相差板と、前記第２の偏光ビームスプリッタと前記第２の複屈折性位相差補償素子との間の光路上に配置された第２の１／４位相差板と、前記第３の偏光ビームスプリッタと前記第３の複屈折性位相差補償素子との間の光路上に配置された第３の１／４位相差板とを備えていても良い。
【０００９】
また、本発明の別側面の液晶表示装置は、光源とリフレクターとレンズアレイと集光光学系からなるインテグレーターと偏光ビームスプリッターと投射レンズ（投射系）からなり、光源からの光をリフレクターで集光し、集光された光をレンズアレイで複数の光束に分離し、集光光学系により複数の照明光束を重ね合わせて均一照明領域を形成し，集光光学系と反射型液晶表示素子の間に設けた偏光ビームスプリッターにより所定の偏光方向の照明光を反射型液晶表示装置に導き，反射型液晶表示装置で反射した光を前記偏光ビームスプリッターで検光し、かつ投射レンズに導き、投射レンズにより画像を投射する構成である。このとき偏光ビームスプリッターと反射型液晶表示素子の間に１／４位相差板と複屈折性位相補償素子（複屈折性位相差補償素子）を設け、光源側から偏光ビームスプリッター、１／４位相差板、複屈折性位相補償素子、反射型液晶表示素子の順に構成し、１／４位相差板の進相（遅相）軸を偏光ビームスプリッターと照明光学系で決まる偏光の基準面に垂直（または平行）に配置し、複屈折性位相補償素子の最も屈折率の小さい軸方向が前述の照明系（照明光学系）の基準軸に対して平行に配置されることにより，偏光ビームスプリッターによるコントラスト低下と反射型液晶表示素子によるコントラスト低下を抑えることが可能となる。
【００１０】
レンズアレイを矩形の外形形状とすると、反射型液晶表示素子を照明する光束は矩形の断面を有する収束光束となる。このとき偏光ビームスプリッターから反射型液晶表示素子に導かれる光束内の偏光方向は図６に示すように偏光の基準面（図６ではｘ方向）に対して対称な分布となる。これに対して前記の１／４位相板を作用させるとそれぞれの偏光はｙ軸方向に長軸を有する楕円偏光に変換される（図７）。このように偏光の方向をそろえた後、複屈折性位相補償素子に入射させ前記楕円偏光の長軸と後述の複屈折性位相差補償素子の屈折率楕円体における異方性を示す光学軸との傾き角と楕円偏光の楕円率に応じて所定の位相差を付加し、液晶で発生する位相差を補償することになる。
【００１１】
複屈折性位相差素子の異方性は、異方性を表す屈折率楕円体の主軸方向の屈折率をｎｃｘ，ｎｃｙ，ｎｃｚとすると
ｎｃｚ＜ｎｃｘ
ｎｃｚ＜ｎｃｙ
となっており、厚みをｄｃとしたとき、異方性の度合いを示す量としてδｃを
δｃ＝（ｎｃｚ−（ｎｃｘ＋ｎｃｙ）／２）＊ｄｃ
とすると
−０．８＞δｃ／δｐ＞−３．０
を満足することにより液晶層で発生する位相差を打ち消すことができコントラストを向上することができる。ここでδｐは反射型液晶表示素子における異方性の度合いを示す量で、液晶層を厚みｄで屈折率楕円体としてｎｘ，ｎｙ，ｎｚ（ｎｚが面法線方向、ｎｘ＝ｎｙ）と定義したとき
δｐ＝（ｎｚ−ｎｘ）＊ｄ’
と表す。
【００１２】
条件式が上限値よりも大きいと複屈折性位相差補償素子で発生する位相差が小さく位相補償の効果が少なく、下限値よりも小さいと複屈折性位相差補償素子で発生する位相差が大きくなり過ぎ、白を表示するときの光量が減少し明るさが暗くなるのでよろしくない。
【００１３】
δｃ／δｐ＝−１のときが完全に対象な構成となるが、−０．８＞δｃ／δｐ＞−１．２の範囲で本発明による効果は十分得られる。−１．２＞δｃ／δｐは複屈折性位相差補償素子で発生する位相差は過剰補正となるが、画像投射装置においては矩形の光束で照明され斜め方向から入射する光が多く、後述するように複屈折性位相差補償素子は斜め方向から入射する光の位相補償を主に行うのでこの範囲においても位相補償が有効に行われる。
【００１４】
液晶層の屈折率を表す屈折率楕円体（ｎｘ，ｎｙ，ｎｚ）は反射型液晶表示素子を直接測定して得られた位相差データーを元に定義することができる。
【００１５】
まず液晶のコントラスト特性を測定する方法を説明する。測定には図８に示すような測定系を用いる。ＬＳは光源、Ｌはレンズ、ＬＣＤは反射型液晶表示素子、ＰＤは光量を測定する受光素子、ＰＯはパネルに入射する光の偏光軸を調整する偏光子、ＡＮは検光子である。
【００１６】
光源からの光はレンズにより平行光にコリメートされ、偏光子で所定の偏光光となり反射型液晶表示素子で反射したのち検光子で検光され受光素子に入射する。
【００１７】
反射型液晶表示素子において矩形の画像を表示する領域の中心を原点とし、矩形の辺の方向をｘ，ｙ座標反射型液晶表示素子に垂直な方向にｚ軸とする座標形を定義する。入射角度θは入射光線とｚ軸とのなす角度である。
【００１８】
図９は、反射型液晶表示素子ＬＣＤに入射する光線をｘｙ平面に射影した図である。このとき、入射方位角度φは入射光線をｘｙ平面に射影した方向とｘ軸とがなす角度をあらわす。Ｒ１は入射方位角度φ＝０°方向からの入射光、Ｒ１’は入射光Ｒ１が反射型液晶表示素子を反射した光、Ｒ２’は任意の入射方位角度φ方向からの入射光、Ｒ２’は入射光Ｒ２が反射型液晶表示素子を反射した光、それぞれ入射光Ｒ１、Ｒ２の入射偏光軸方向ａ，ｂはそれぞれｙ軸方向である。
【００１９】
このような測定装置で入射方位角度φと入射角度θをパラメーターとして入射光線を設定し、検光子を偏光子と平行な状態として測定した光の強度Ｉ０と検光子を偏光子と垂直な状態として測定した光の強度Ｉ１を測定する。
Ｃ＝Ｉ０／Ｉ１
で求められるＣがコントラスト値である。
【００２０】
実際はφ＝０，４５，９０，１３５，１８０，２２５，２７０，３１５°方向から測定したコントラスト値
Ｃ０（θ），Ｃ９０（θ），Ｃ１３５（θ），Ｃ１８０（θ），Ｃ２２５（θ），Ｃ２７０（θ），Ｃ３１５（θ）
を測定する。
【００２１】
コントラスト値は反射型液晶表示素子が黒表示状態のときの漏れ光量の逆数の関係になる為、このときの位相差値はコントラスト値の逆数を漏れ光量として反射型液晶表示素子の特性を光学軸がｘｙ平面上でｘ軸に対して４５°傾いた位相差板に置き換えたときに位相差板で発生する漏れ光に相当する位相差Γ（φ、θ）を計算することができる。位相差の符号は図８の測定計で直線偏光の代わりに円偏光を入射し、反射型液晶表示素子の位相差により変換された楕円偏光の長軸の向きで決定することができる。
【００２２】
反射型液晶表示素子の異方性の決定方法を以下に示す。
【００２３】
ここでは反射型液晶表示素子の屈折率楕円体を面法線方向に屈折率が異なる一軸性として定義する。図１０に楕円体の斜視図、および図１１ａ，１１ｂにそれぞれ楕円体のｘｙ平面における断面、ｘｚ平面における断面を表す。
【００２４】
一軸性の屈折率楕円体の異方性は、入射方位角に応じて屈折率楕円体を進行する光の方向に垂直な平面で楕円体を切り取ったときの切り口でできる楕円の短軸、長軸が常光線方向ｎｏと異常光線方向ｎｅの光学軸として定義される（ボルン・ウォルフ著  光学の原理ＩＩＩ第ＸＩＶ章参照）。図１２に入射する方位角φが０°、４５°、９０°のときの切り口となる楕円と常光線方向ｎｏと異常光線方向ｎｅ、さらに入射する光の偏光方向ｐを示す。これにより、入射方位角φが０（１８０），９０（２７０）から入射したときには、屈折率楕円体における異方性の光学軸と光の偏光方向が一致するので複屈折による位相差は発生しない。
【００２５】
しかし、実際の測定ではこの方位からの入射においてもコントラスト値の低下があるので、反射型液晶表示素子で発生する位相差Γ（φ、θ）をΔ（θ）とδ（θ）に分解する。
【００２６】
Δ（θ）は方位角φによらない位相差とし、Γ（０，θ）、Γ（９０，θ）、Γ（１８０，θ）、Γ（２７０，θ）の平均として求める。δ（θ）は、斜め方向の位相差とし、Γ（４５，θ）、Γ（１３５，θ）、Γ（２２５，θ）、Γ（３１５，θ）の平均測定値Δ４５（θ）から前述のΔ（θ）を引いた位相差
δ（θ）＝Δ４５（θ）−Δ（θ）
として求める。
【００２７】
黒表示状態にある反射型液晶表示素子を一軸性の屈折率楕円体（ｎｘ＝ｎｙ，ｎｚ）と仮定し、所定のｎｘ（たとえば１．５）に対するｎｚをパラメーターとして、方位角４５°から入射する光の位相差を計算し、上記測定による位相差δ（θ）に一致するｎｚの値を決定することにより、反射型液晶表示素子の異方性を決定することができる。
【００２８】
光源と、リフレクターと、レンズアレイと集光光学系からなるインテグレーターと、偏光ビームスプリッターと、投射レンズからなり、光源からの光をリフレクターで集光し、集光された光をレンズアレイで複数の光束に分離し、集光光学系により複数の照明光束を重ね合わせて均一照明領域を形成し，集光光学系と反射型液晶表示素子の間に設けた偏光ビームスプリッターにより所定の偏光方向の照明光を反射型液晶表示装置に導き，反射型液晶表示装置で反射した光を前記偏光ビームスプリッターで検光し、かつ投射レンズに導き、投射レンズにより画像を投射する構成で、偏光ビームスプリッターと反射型液晶表示素子の間に１／４位相差板と複屈折性位相補償素子を設け、光源側から偏光ビームスプリッター、１／４位相差板、複屈折性位相補償素子、反射型液晶表示素子の順に構成したことを特徴としている。
【００２９】
また、前記１／４位相差板の進相（遅相）軸を偏光の基準面に垂直（または平行）に配置し、複屈折性位相補償素子の最も屈折率の小さい軸方向が前述の照明系の基準軸に対して平行に配置されることを特徴としている。ここで照明系の基準軸とは照明系を構成するレンズの光軸であり、偏光の基準面は前記照明系の基準軸と、前記照明系の基準軸が偏光ビームスプリッターの偏光分離面で反射したときにできる反射した基準軸を含む平面に平行な方向である。
【００３０】
また、前記複屈折性位相差素子の異方性は、異方性を表す屈折率楕円体の主軸方向の屈折率をｎｃｘ，ｎｃｙ，ｎｃｚとすると
ｎｃｚ＜ｎｃｘ
ｎｃｚ＜ｎｃｙ
となっており、厚みをｄｃとしたとき、異方性の度合いを示す量としてδｃを
δｃ＝（ｎｃｚ−（ｎｃｘ＋ｎｃｙ）／２）＊ｄｃ
とし、同様に反射型液晶表示素子における異方性の度合いを示す量としてδｐを液晶層を厚みｄで屈折率楕円体としてｎｘ，ｎｙ，ｎｚ（ｎｚが面法線方向、ｎｘ＝ｎｙ）と定義したとき
δｐ＝（ｎｚ−ｎｘ）＊ｄ’
とするとき
−０．８＞δｃ／δｐ＞−３．０
であることを特徴としている。
【００３１】
ここで反射型液晶表示素子におけるは屈折率楕円体ｎｘ，ｎｙ，ｎｚは反射型液晶表示素子のコントラスト測定から得られる位相差で定義される。
【００３２】
また、本発明は、光源からの光を分解する偏光ビームスプリッターと、前記偏光ビームスプリッターを介した所定の偏光方向の光で照明される反射型液晶表示素子（液晶パネル）とを有する液晶表示装置であって、前記偏光ビームスプリッタと前記反射型液晶表示素子との間に、前記反射型液晶表示素子に入射する光束と平行な光学軸を有する複屈折板（複屈折フィルタ）を有することを特徴としている。
【００３３】
また、光源からの光を分解する偏光ビームスプリッターと、前記偏光ビームスプリッターを介した所定の偏光方向の光で照明される複数の反射型液晶表示素子（液晶パネル）とを有し、前記複数の反射型液晶表示素子からの反射光を前記偏光ビームスプリッターで合成する液晶表示装置であって、前記偏光ビームスプリッタと前記反射型液晶表示素子との間に、前記反射型液晶表示素子に入射する光束と平行な光学軸を有する複屈折板（複屈折フィルタ）を有することを特徴としている。
【００３４】
また、前記複屈折板は、所望の方位角におけるコントラストを改善することを特徴としている。
【００３５】
光源からの光を分解する偏光ビームスプリッターと、前記偏光ビームスプリッターを介した所定の偏光方向の光で照明される反射型液晶表示素子（液晶パネル）とを有する液晶表示装置であって、前記偏光ビームスプリッタと前記反射型液晶表示素子との間に、所望の方位角におけるコントラストを改善する複屈折板（複屈折フィルタ）を有することを特徴としている。
【００３６】
光源からの光を分解する偏光ビームスプリッターと、前記偏光ビームスプリッターを介した所定の偏光方向の光で照明される複数の反射型液晶表示素子（液晶パネル）とを有し、前記複数の反射型液晶表示素子からの反射光を前記偏光ビームスプリッターで合成する液晶表示装置であって、前記偏光ビームスプリッタと前記反射型液晶表示素子との間に、所望の方位角におけるコントラストを改善する複屈折板（複屈折フィルタ）を有することを特徴としている。また、上記の表示装置において、１／４位相差板や複屈折板は開口部を有する保持枠によって支持されるように構成するのが好ましい。
【発明の効果】
【００３７】
本発明によれば反射型液晶表示素子で発生する位相差に起因するコントラストの低下を効果的に補償し、コントラストの高い液晶表示装置を提供することが可能となる。
【発明を実施するための最良の形態】
【００３８】
（実施例１）
図１には、本発明の第１実施例である反射型画像変調装置を示している。図中、１は高圧水銀ランプなどからなる光源、２は光源１から光を所定の方向に放射するためのリフレクター、３は均一な照明強度を有する照明領域を形成するためのインテグレーターであり、フライアイレンズ３ａ、３ｂから構成されており、４は無偏光な光を所定の偏光方向に揃える偏光変換素子であり、偏光分離膜４ａと１／２位相差板４ｂと反射板４ｃとから構成されており、５は照明光を集光するコンデンサーレンズ、６はミラー、７は照明光をテレセントリックな光にするフィールドレンズ、８は緑の波長領域光を透過する（緑色光を透過し、赤色光と青色光を反射する）ダイクロイックミラー、９ａ１、９ｂ１、９ｃ１はそれぞれＳ偏光を反射してＰ偏光を透過させる特性をもつ偏光分離膜、９ａ、９ｂ、９ｃはそれぞれ偏光分離膜９ａ１、９ｂ１、９ｃ１を有する偏光ビームスプリッター、１０ａ、１０ｂはそれぞれ所定波長領域の光の偏光方向を９０°変換（回転）する色選択性位相差板、１１ｒ、１１ｇ、１１ｂはそれぞれ入射した照明光を反射するとともに画像信号に応じて変調して画像光を形成する反射型液晶表示素子（第２の反射型液晶表示素子、第１の反射型液晶表示素子、、第３の反射型液晶表示素子）、１２ｒ、１２ｇ、１２ｂはそれぞれ１／４位相差板（第２の１／４位相差板、第１の１／４位相差板、第３の１／４位相差板）、１３ｒ、１３ｇ、１３ｂはそれぞれ反射型液晶表示素子１１ｒ、１１ｇ、１１ｂが黒表示のときに発生する位相差を補正する複屈折性位相差補償素子としての一軸性の複屈折フィルター（第２の複屈折性位相差補償素子、第１の複屈折性位相差補償素子、第３の複屈折性位相差補償素子）、１４は投射レンズ系（投射系）である。
【００３９】
次に、上記構成の光学的な作用を説明する。光源１から出射した光はリフレクター２によりフライアイレンズ３ａの方向に集光される。この光束は、フライアイレンズ３ａにより複数の光束に分割された後、複数の光束はフライアイレンズ３ｂ、コンデンサーレンズ５およびフィールドレンズ７の作用によって各反射型液晶表示素子１１ｒ、１１ｇ、１１ｂ上に重ね合わされ、均一な照明強度の照明領域を各反射型液晶表示素子１１ｒ、１１ｇ、１１ｂ上に形成する。また、このときフライアイレンズ３ｂから出射した多数の光束はそれぞれの光束に対応した偏光分離膜４ａでＰ偏光とＳ偏光とに分離される。Ｐ偏光は１／２位相差板４ｂによりＳ偏光と同方向の偏光成分に変換され、Ｓ偏光は反射膜４ｃにより反射される。これにより、フライアイレンズ３ｂから出射した多数の光束は、所定の偏光方向を有する光として同一方向に出射される。偏光変換素子４によりほぼＳ偏光にそろえられた光は、緑の波長領域光を透過するダイクロイックミラー８（図２に透過曲線を示す）に入射し、緑の波長領域光は透過し、赤と青の波長領域光は反射する。ダイクロイックミラー８を透過した緑領域光は偏光ビームスプリッター（第１の偏光ビームスプリッタ）９ａに入射し、偏光分離膜９ａ１において反射して、１／４位相差板１２ｇを透過し、更に複屈折フィルター１３ｇを透過し、反射型液晶表示素子１１ｇに入射する。一方、ダイクロイックミラー８を反射した赤と青の波長領域光は、第１の色選択性位相差板１０ａによって青の波長領域光のみ偏光方向を９０°変換されてＰ偏光となり、赤の波長領域光はＳ偏光のままで、偏光ビームスプリッター（第２の偏光ビームスプリッタ）９ｂに入射する。ここで、第１の色選択性位相差板１０ａの特性を図３に示す。点線の曲線が入射偏光方向に対して直交した偏光方向（Ｐ偏光）の透過率を示し、実線が入射偏光方向に対して平行な偏光方向（Ｓ偏光）の透過率を示す。偏光ビームスプリッター９ｂの偏光分離膜９ｂ１において、Ｐ偏光である青の波長領域光は透過し、Ｓ偏光である赤の波長領域光は反射する。これにより、互いに偏光方向が直交する赤と青の波長領域光に分離される。偏光ビームスプリッター９ｂを反射した赤の波長領域光は、１／４位相差板１２ｒを透過し、更に複屈折フィルター１３ｒを透過し、反射型液晶表示素子１１ｒに入射し、偏光ビームスプリッター９ｂを透過した青の波長領域光は、１／４位相差板１２ｂを透過し、更に複屈折フィルター１３ｂを透過し、反射型液晶表示素子１１ｂに入射する。
【００４０】
さらに、反射型液晶表示素子１１ｇによって変調され反射した緑の波長領域光（第１の色光）は、複屈折フィルター１３ｇを透過し、１／４位相差板１２ｇを透過し、Ｐ偏光となって偏光ビームスプリッター９ａ、９ｃを透過する。また、反射型液晶表示素子１１ｒによって変調され反射した赤の波長領域光は、複屈折フィルター１３ｒを透過し、１／４位相差板１２ｒを透過し、Ｐ偏光となって偏光ビームスプリッター９ｂを透過し、第２の色選択性位相差板１０ｂに入射する。ここで、第２の色選択性位相差板１０ｂの特性を図４に示す。点線の曲線が入射偏光方向に対して直交した偏光方向の透過率を示し、実線が入射偏光方向に対して平行な偏光方向の透過率を示す。また反射型液晶表示素子１１ｂによって変調され反射した青の波長領域光（第３の色光）は、複屈折フィルター１３ｂを透過し、１／４位相差板１２ｂを透過し、Ｓ偏光となって偏光ビームスプリッター９ｂを反射し、第２の色選択性位相差板１０ｂに入射する。赤の波長領域光（第２の色光）のみ偏光方向を９０°変換する第２の色選択性位相差板１０ｂに入射した赤と青の波長領域光は第２の色選択性位相差板１０ｂにより赤の波長領域光のみ偏光方向を９０°変換されてＳ偏光となり、青の波長領域光はＳ偏光のままで、偏光ビームスプリッター９ｃに入射し、反射する。そして、ＲＧＢの全波長領域の光は偏光ビームスプリッター９ｃによって合成され、投射レンズ１４に導かれ、不図示のスクリーン等に投射される。
【００４１】
図８の光学測定系を用いて入射角度θと入射方位角度φを変化させてコントラスト測定をおこなった結果（コントラストコンタ）を図１３に示す。
【００４２】
測定結果より、入射方位角度φとφ＋９０のコントラスト値はほぼ等しく対称性のあるコントラスト値となる。また、入射方位角度φ＝４５°、１３５°、２２５°、３１５°方向のコントラスト値が特に劣化している。図１３に示したコントラスト測定結果より、反射型液晶表示素子が黒表示状態のときに発生する位相差Δ（θ）（実線）、Δ４５（θ）（点線）を図１４に、δ（θ）を図１５に示す。それぞれ横軸は入射角度θ、縦軸は位相差（度で表す）でる。
【００４３】
ここで、図１５に近似した位相差を発生させる一軸性屈折率楕円体を求めると、
波長λ＝５５０ｎｍのとき、厚みｄ＝５．０μｍ、屈折率楕円体の屈折率ｎｘ＝１．５、ｎｚ＝１．５４２と決定することができ、この一軸性屈折率楕円体における入射方位角度φ＝４５°（１３５°、２２５°、３１５°）方向の入射光の位相差を図１６に示す。図１６で示す実線は上記の一軸性屈折率楕円体から計算で求められた位相差で、点線は測定による位相差（符号を逆に取っている）を表す。
【００４４】
ここで、位相補償に用いる複屈折フィルターを波長λ＝５５０ｎｍのとき、厚みｄ＝２．５μｍ、屈折率楕円体の屈折率ｎｘ＝１．５、ｎｚ＝１．４６１とすると位相補償が行われる。
【００４５】
ここで、
δｐ＝０．２１０
δｃ＝−０．１９５
δｃ／δｐ＝−０．９２９
である。
【００４６】
このとき、複屈折フィルターを反射型液晶表示素子の直前に挿入することで、入射方位角度φ＝４５°（１３５°、２２５°、３１５°）の位相差を基準位相差まで減少させることができ、コントラストを向上させることが可能となる。
【００４７】
反射型液晶表示素子の直前に複屈折フィルターを挿入したときのコントラスト値を図１７にあらわす。図１７より入射角度θ＝１４°以下では全方位角度φにおいてコントラスト値約６００以上となり、図１４のような特性の反射型液晶表示素子におけるコントラスト値を向上させることが可能となる。
【００４８】
（実施例２）
本発明の第２実施例を説明する。
【００４９】
反射型液晶表示素子で発生する位相差は図１４と同じとし、本実施例では、位相補償に用いる複屈折フィルターを波長λ＝５５０ｎｍのとき、厚みｄ＝２．５μｍ、屈折率楕円体の屈折率ｎｘ＝１．５、ｎｚ＝１．４１６として位相補償を行っている。
【００５０】
このとき
δｃ＝−０．４２０
δｃ／δｐ＝−２．０００
である。
【００５１】
複屈折フィルターで発生する位相差を多く発生させ、反射型液晶表示素子の直前に挿入することで、入射方位角度φ＝４５°（１３５°、２２５°、３１５°）の位相差を基準位相差よりも良好に減少させることができ、矩形光束照明においてコントラストを向上させることが可能となる。
【００５２】
反射型液晶表示素子の直前に複屈折フィルターを挿入したときのコントラスト値を図１８にあらわす。図１８より、入射角度θ＝１４°以下では４５°方向の方位角度φにおいてコントラスト値約１０００以上となり、反射型液晶表示素子におけるコントラスト値をさらに向上させることが可能となる。また、不図示の入射角度θ＝１２°、１４°はφ＝４５°においてコントラスト値２０００以上である。
【００５３】
（実施例３）
本発明における第３の実施例を説明する。第３の実施例では複屈折性位相差補償素子として、ｚ軸方向の屈折率が異なる第１の一軸性複屈折フィルターとｘｙ平面においてｘ軸とｙ軸の間に屈折率が異なる第２の一軸性複屈折フィルターを用いたものである。図１９に示すように偏光ビームスプリッターから反射型液晶表示素子（不図示）に至る光路上に１／４位相差板３１、第２の一軸性複屈折フィルター３３、第１の一軸性複屈折フィルター３２の順で配置し、１／４位相差板の進相軸方向は偏光の基準方向（図１９ではｙ軸方向）に設定し，第１の一軸性複屈折フィルターは基準軸Ｏに平行な方向に異方性の光軸を設定し、第２の複屈折フィルターはいわゆる位相差板であり、その進相軸方向３４は図２０に示すように偏光の基準方向に対して斜めになるように配置する。
【００５４】
本実施例では、第１の複屈折フィルターにより入射方位角度４５°方向の位相差δ（θ）を補償し、第２の複屈折フィルターで残存する位相差Δ（θ）を補償することでさらに補正しコントラストを向上させるものである。
【００５５】
本実施例における３１は第２の複屈折フィルター、３２は第２の複屈折フィルターの進相軸方向、３３は入射偏光軸方向を表す。位相差板３１の進相軸３２はｘｙ平面上にありｘ軸に対して４５度傾けて設定すると、反射型液晶表示素子に入射する光線の偏光軸は入射角度θおよび入射方位角度φよらずＹ軸方向である為に、いずれの光線に対しても常に入射偏光軸方向と進相（遅相）軸方向は４５度傾いており等しい位相差を生じる。
【００５６】
第２の複屈折フィルターの位相差Γ’を−２．０（度）とし、実施例１で述べた複屈折フィルター組み合わせることで図２１に示すように入射角度θ＝１４°以下で１度以下の位相差となり更に位相差を減少させることができる。図２１において実線は入射方位角度φ＝４５°（１３５°、２２５°、３１５°）方向の位相差、点線は入射方位角度φ＝０°（９０°、１８０°、２７０°）方向の位相差を表す。
【００５７】
このときのコントラスト値を図２２に示す。図２２より、入射角度θ＝１４°以下では全方位角度φにおいてコントラスト値２００００以上となり、反射型液晶表示素子のコントラスト値をより効果的に向上させることが可能となる。このとき、入射角度θ＝１２°、１４°は全方位角度φにおいてコントラスト値１０００００以上であるために不図示とする。また、入射角度θ＝５°において全入射方位角度φのコントラスト値は８００００（φ＝０°）以上、また入射角度θ＝１０°において全入射方位角度φのコントラスト値は５３０００（φ＝４５°）以上となり、それぞれコントラスト値１０００００以上は不図示とする。また、入射角度θ＝１２°の入射方位角度φ＝４５°の位相差はφ＝０°の位相差より大きいためにφ＝０°のコントラスト値が高いが、逆に入射角度θ＝１４°の入射方位角度φ＝４５°の位相差はφ＝０°の位相差より小さいためにφ＝４５°のコントラスト値が高くなる。
【００５８】
（実施例４）
本発明の第４実施例は複屈性位相差補償素子として二軸性の複屈折フィルターを用いた例である。
【００５９】
本実施例での複屈折フィルターの屈折率楕円体（二軸性）はｚ軸方向に屈折率ｎｚ、ｘｙ平面上ではｘ軸に対して４５度傾いた方向に屈折率ｎｘ、さらに屈折率ｎｘの方向に対して直交する方向に屈折率ｎｙのそれぞれ屈折率をもった屈折率楕円体とする。
【００６０】
ここで、複屈折フィルターに入射する光線が入射角度θ＝０°のときの入射偏光軸方向と入射光に対する複屈折フィルターの屈折率方向の関係を図２３に示す。ｐは入射偏光軸方向を示す。
【００６１】
このとき、入射偏光軸方向ｐは屈折率ｎｘ，ｎｙ方向に対して４５°傾いた方向にあるために位相差が発生し、入射角度θ＝０°の場合でも反射型液晶表示素子で発生する位相差を補正することが可能となる。
【００６２】
ここで、図１４で述べた黒表示状態の反射型液晶表示素子に入射角度θ＝０°で入射した光の位相差（度）はδ’＝３．４３０である。
【００６３】
このとき波長λ＝５５０ｎｍのとき、厚みｄ＝２．５μｍ、屈折率楕円体の屈折率ｎｘ＝１．５０１０５，ｎｙ＝１．５，ｎｚ＝１．４６１とすると、入射角度θ＝０°のときに複屈折フィルターで発生する位相差（度）δ’’は
δ’’＝−３．４３０
となり、黒表示状態の反射型液晶表示素子で発生する位相差δ’を打ち消すことができ、さらにコントラストを向上させることができる。
【００６４】
ここまで画像投射装置の実施形態を図１の形態で説明してきたが照明光を偏光ビームスプリッターで反射型液晶表示素子に導き、反射型液晶表示素子を反射した光が再び偏光ビームスプリッターを介して投射レンズに至る構成であれば、本発明は図１の光学系の構成に限定されるものではない。
【００６５】
（第５実施例）
次に、本発明による画像投射装置を構成する際の、複屈折フィルターの取り付け方法に関して図２６乃至２９にしたがって説明する。
【００６６】
図２６、２７，２８，２９は図１に光学的な構成を示した本発明による画像表示装置の偏光ビームスプリッタ−、１／４位相差板、複屈折フィルターおよび反射型液晶表示素子の固定方法を示す図であり、特に例として、図１に９ａ、１１ｇ、１２ｇ、１３ｇで示した緑の光の光路の構成に関する物である。他の赤および青の光路においても、以下に説明する構成により、より具体的に画像表示装置を実現する事ができる。
【００６７】
図２６は緑光路の偏光ビームスプリッタ−部分を上方から見た図であり、図２７はその側面を断面としてみた図である。
【００６８】
図２６乃至２９において、図１と共通な構成に関しては同一の符号を付している。図２６乃至２９において、９ａは偏光ビームスプリッタ−、１１ｇは反射型液晶表示素子、１２ｇは１／４位相差板、１３ｇは複屈折フィルター、６１、６２は第１、第２の取り付け板、７１は１／４位相差板１２ｇを保持する第１の保持枠、７２は複屈折フィルター１３ｇを保持する第２の保持枠、７３は反射型液晶表示素子を保持する液晶ホルダー、７４はカバー、７５は第１の押さえ板、７６、７７は第２，第３の押さえ板である。
【００６９】
１／４位相差板１２ｇおよび複屈折フィルター１３ｇはそれぞれ、１／４位相差フィルムと複屈折フィルムをガラス基板に貼り付けることで、面精度を確保できるようになっている。また、１／４位相差板１２ｇと複屈折フィルター１３ｇのそれぞれ第１，第２の表面には反射防止処理が、反射防止コーティングや、反射防止効果を有するフィルムを貼り付けることによって施されている。
【００７０】
第１，第２の取り付け板６１，６２は、例えば鉄とニッケルの合金等の金属材料で作られ、それぞれ第１、第２の伸長部を有している。第１，第２の取り付け板６１，６２は偏光ビームスプリッタ−に紫外線硬化型の接着剤によって接着固定されている。
【００７１】
第１の保持枠７１は例えばりん青銅などの金属材料で作られ、その表面は黒色になるように塗装などの処理がされている。
【００７２】
第１の保持枠７１は、略円形形状を有し、図２９に示すように開口部７１ａと伸長部７１ｂが設けられている。
【００７３】
第１の保持枠７１には図２９に示すように、１／４位相差板が接着などの手段により固定されている。
【００７４】
第２の保持枠７２は例えばりん青銅などの金属材料で作られ、その表面は黒色になるように塗装などの処理がされている。
【００７５】
第２の保持枠７２は、略円形形状を有し、図２８に示すように開口部７２ａと伸長部７２ｂが設けられている。
【００７６】
第２の保持枠７２には図２９に示すように、１／４位相差板が接着などの手段により固定されている。
【００７７】
反射型液晶表示素子１１ｇは、周知の液晶表示素子であり、液晶ホルダー７３に接着などの手段により固定されている。
【００７８】
液晶ホルダー７３は、例えばアルミニウムで作られ、前記第１と第２の取り付け板６１，６２のそれぞれ第１，第２の伸長部と所定のクリアランスを有してはめあい関係となる第１，第２，第３，第４の穴が設けられている。
【００７９】
カバー７４は例えばポリカーボネートなどのプラスチックや、アルミニウムのような金属材料で作られ、前記、第１の保持枠７１、第２の保持枠７２が所定の範囲で回転できるように第１，第２の保持枠７１，７２の外周部と勘合するし保持できる受け部を内部に有し、また、第１、第２の保持枠７１，７２は光軸方向には、第２，第３の例えばりん青銅で作られた押さえ板７６，７７によって位置を規制される。
【００８０】
カバー７４にはさらに、前記第１，第２の取り付け板６１，６２のそれぞれ第１，第２の伸長部が貫通する不図示の第１、第２，第３，第４の穴が設けられている。
【００８１】
さらにカバー７４の上部には切り欠き７４ａが設けられており、図２７に示すように第１，第２の保持枠７１，７２のそれぞれ伸長部７１ｂ、７２ｂがカバー７４の外部に突出するようになっている。図２７において、第２の保持枠の伸長部は、説明を分かりやすくするために書いてあるが、図２６より明らかなように、第１の保持枠の伸長部７１ｂと第２の保持枠の伸長部７２ｂは重ならないようになっている。
【００８２】
カバー７４は不図示のネジによって、液晶ホルダー７３に固定されている。
【００８３】
また、カバー７４には、例えばりん青銅で作られた第１の押さえ板７５がビス止めなどの手段で固定されている。
【００８４】
前述の液晶ホルダー７３は、反射型液晶表示素子１１ｇが照明領域のほぼ中心に位置し、他の色のパネルの画素と、投射スクリーン上で一致し、また投射スクリーン上でピントが合うように調整され、前述の不図示の液晶ホルダーに設けられた第１，第２，第３，第４の穴と前述の第１、第２の取り付け板６１，６２のそれぞれ第１，第２の伸長部とを接着剤で充填し、接着する事で固定される。
【００８５】
また、１／４位相差板１２ｇは第１の保持枠の突出部を回して例えば黒表示が最も暗くなる位置で第１の保持枠７１の突出部７１ｂとカバー７４を接着する事で固定される。
【００８６】
さらに、複屈折フィルター１３ｇは第２の保持枠の突出部を回して例えば反射型液晶表示素子に白表示と黒表示をさせた際のコントラストが最大になる位置で第２１の保持枠７２の突出部７２ｂと第１の押さえ板７５を接着する事で固定される。
【００８７】
このような構成を青光路の反射型表示素子部と赤光路の反射型表示素子部にも設けることによって本発明による画像表示素子は、高いコントラストを得る事ができる。
【００８８】
また、前述の１／４位相差フィルムと、複屈折フィルムをそれらのフィルムをそれぞれ透過する光の波長にあわせて最適化することで、さらに高いコントラストを得る事ができる。
【図面の簡単な説明】
【００８９】
【図１】第１の実施例における液晶プロジェクター全体の構成図
【図２】実施例１におけるダイクロミラーの特性図
【図３】実施例１における色選択性フィルターの特性図
【図４】実施例１における色選択性フィルターの特性図
【図５】偏光の基準方向を説明する図
【図６】照明系の偏光状態を説明する図
【図７】照明系の偏光状態を説明する図
【図８】反射型液晶表示素子の特性を測定する測定系を説明する図
【図９】方位角を説明する図
【図１０】屈折率楕円体を説明する図
【図１１】屈折率楕円体を説明する図
【図１２】入射光に対する屈折率楕円体の異方性を説明する図
【図１３】反射型液晶表示素子の特性を表す図
【図１４】反射型液晶表示素子における位相差を表す図
【図１５】位相差δ（θ）を表す図
【図１６】複屈折フィルターの位相差を表す図
【図１７】第１の実施例における補正された特性を表す図
【図１８】第２の実施例における補正された特性を表す図
【図１９】第３の実施例の構成を説明する図
【図２０】第３の実施例の構成を説明する図
【図２１】第３の実施例における補正された位相差を表す図
【図２２】第３の実施例における補正された特性を表す図
【図２３】第４の実施例における複屈折フィルターを説明する図
【図２４】従来例の説明図
【図２５】従来例の説明図
【図２６】緑光路の偏光ビームスプリッタ−を上方から見た図
【図２７】緑光路の偏光ビームスプリッタ−を側面から見た図
【図２８】複屈折フィルタの保持枠への固定方法の説明図
【図２９】１／４位相差版の保持枠への固定方法の説明図
【符号の説明】
【００９０】
９ａ１、９ｂ１、９ｃ１  偏光分離膜
９ａ、９ｂ、９ｃ  偏光ビームスプリッター
１１ｒ、１１ｇ、１１ｂ  反射型液晶表示素子
１２ｒ、１２ｇ、１２ｂ  １／４位相差板
１３ｒ、１３ｇ、１３ｂ  複屈折性位相差補償素子
【図１】
2007233407.tif 000003
【図２】
2007233407.tif 000004
【図３】
2007233407.tif 000005
【図４】
2007233407.tif 000006
【図５】
2007233407.tif 000007
【図６】
2007233407.tif 000008
【図７】
2007233407.tif 000009
【図８】
2007233407.tif 000010
【図９】
2007233407.tif 000011
【図１０】
2007233407.tif 000012
【図１１】
2007233407.tif 000013
【図１２】
2007233407.tif 000014
【図１３】
2007233407.tif 000015
【図１４】
2007233407.tif 000016
【図１５】
2007233407.tif 000017
【図１６】
2007233407.tif 000018
【図１７】
2007233407.tif 000019
【図１８】
2007233407.tif 000020
【図１９】
2007233407.tif 000021
【図２０】
2007233407.tif 000022
【図２１】
2007233407.tif 000023
【図２２】
2007233407.tif 000024
【図２３】
2007233407.tif 000025
【図２４】
2007233407.tif 000026
【図２５】
2007233407.tif 000027
【図２６】
2007233407.tif 000028
【図２７】
2007233407.tif 000029
【図２８】
2007233407.tif 000030
【図２９】
2007233407.tif 000031